(57)【要約】【課題】光学素子を効率良く冷却できるプロジェクターを提供する。【解決手段】プロジェクターは、液晶パネルを冷却する冷却装置を備える。冷却装置は、液晶パネルの熱を受熱する受熱部５１と、受熱部５１の熱を吸熱する吸熱部５２ａ、および吸熱部５２ａが熱を吸熱することにより発熱する発熱部５２ｂを有するペルチェ素子５２と、発熱部５２ｂに熱伝導可能に配置されるヒートシンク５３と、内部に作動液を収容し、発熱部５２ｂの熱を受熱して作動液が還流することにより熱移動が行われるヒートパイプ５７と、を備え、ヒートシンク５３は、ペルチェ素子５２側から見て、ペルチェ素子５２に重なる積層部、およびペルチェ素子５２から飛び出す突出部を有し、ヒートパイプ５７は、ペルチェ素子５２と積層部との間に位置する内装部、および突出部に沿って延出する延出部を有する。【選択図】図４
2015108697.tif 000002
【特許請求の範囲】
【請求項１】
光源から射出された光を画像情報に応じて変調し、変調した光を投写するプロジェクターであって、
当該プロジェクター内部の光学素子を冷却する冷却装置を備え、
前記冷却装置は、
前記光学素子の熱を受熱する受熱部と、
前記受熱部の熱を吸熱する吸熱部、および前記吸熱部が熱を吸熱することにより発熱する発熱部を有する熱電変換素子と、
前記発熱部に熱伝導可能に配置されるヒートシンクと、
内部に作動液を収容し、前記発熱部の熱を受熱して前記作動液が還流することにより熱移動が行われるヒートパイプと、
を備え、
前記ヒートシンクは、前記熱電変換素子側から見て、前記熱電変換素子に重なる積層部、および前記熱電変換素子から飛び出す突出部を有し、
前記ヒートパイプは、前記熱電変換素子と前記積層部との間に位置する内装部、および前記突出部に沿って延出する延出部を有することを特徴とするプロジェクター。
【請求項２】
請求項１に記載のプロジェクターであって、
前記冷却装置は、
並設される複数の前記熱電変換素子を備え、
前記突出部は、前記複数の熱電変換素子の並設方向に設けられていることを特徴とするプロジェクター。
【請求項３】
請求項２に記載のプロジェクターであって、
前記冷却装置は、
前記受熱部と前記複数の熱電変換素子との間に配置され、前記受熱部の熱を前記複数の熱電変換素子の前記吸熱部に伝導させる熱伝導部材をさらに備え、
前記熱伝導部材は、前記受熱部側から見て、前記複数の熱電変換素子を覆う大きさを有していることを特徴とするプロジェクター。
【請求項４】
請求項１〜請求項３のいずれか一項に記載のプロジェクターであって、
前記ヒートシンクにおける前記突出部は、前記積層部の一方の側に位置する第１の突出部、および前記積層部の他方の側に位置する第２の突出部を有し、
前記ヒートパイプにおける前記延出部は、前記第１の突出部に沿う第１の延出部、および前記第２の突出部に沿う第２の延出部を有することを特徴とするプロジェクター。
【請求項５】
請求項４に記載のプロジェクターであって、
前記冷却装置は、
前記第１の突出部の前記熱電変換素子からの飛び出し量が、前記第２の突出部の前記熱電変換素子からの飛び出し量より小さく構成され、
前記第１の突出部側から前記ヒートシンクに冷却空気を送風する冷却ファンをさらに備えることを特徴とするプロジェクター。
【請求項６】
請求項１〜請求項５のいずれか一項に記載のプロジェクターであって、
前記ヒートパイプは、毛細管力によって前記作動液を移動させる毛細管状の流路を有することを特徴とするプロジェクター。
【請求項７】
請求項１〜請求項６のいずれか一項に記載のプロジェクターであって、
前記受熱部は、内部に冷却液体が流通する流路を有し、
前記冷却装置は、
内部に前記冷却液体が流通する流路を有し、前記光学素子を保持する光学素子保持部と、
前記冷却液体を吸入および圧送する液体圧送部と、
内部に前記冷却液体を貯留する供給タンクと、
前記光学素子保持部、前記液体圧送部、前記供給タンク、および前記受熱部に前記冷却液体が環状に流通するように、前記光学素子保持部、前記液体圧送部、前記供給タンク、および前記受熱部を接続する管状部材と、
をさらに備えることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調した光を投写する投写光学系とを備え、スクリーン等の投写面に画像を投写するプロジェクターが知られている。近年、光源の高輝度化が求められ、光変調装置等の光学素子は、より高温に発熱するため、これらの光学素子を効率良く冷却するためのプロジェクターが提案されている（例えば、特許文献１参照）。
【０００３】
特許文献１に記載のプロジェクターは、液冷装置および冷却ファンを備えている。液冷装置は、光学素子保持部、液体圧送部、受熱ジャケット、供給タンク、複数の液体循環部材、および熱電変換ユニットを備えている。熱電変換ユニットは、熱電変換素子（ペルチェ素子）および放熱側伝熱部材（ヒートシンク）を有し、受熱ジャケットは、ペルチェ素子に接続され、ペルチェ素子は、ヒートシンクに接続されている。そして、ヒートシンクは、ペルチェ素子側から見て、ペルチェ素子の両側に飛び出るようにペルチェ素子より大きく形成されている。
そして、光変調装置で生じた熱は、光学素子保持部を介して冷却液体に伝達され、この冷却液体は、液体循環部材を介して受熱ジャケットに流動し、受熱ジャケット内を流動する際、受熱ジャケットに熱を伝達する。受熱ジャケットに伝達された熱は、ペルチェ素子、放熱側伝熱部材への熱伝達経路をたどり、放熱側伝熱部材のフィン部材を介して、冷却ファンから吐出される空気により放熱される。受熱ジャケット内の冷却液体は、熱電変換ユニットにより熱が放熱されることにより冷却され、液体循環部材等を介して光学素子保持部に流動して光変調装置を冷却する。
【先行技術文献】
【特許文献】
【０００４】
【特許文献１】特開２０１０−２５００４２号公報
【発明の概要】
【発明が解決しようとする課題】
【０００５】
しかしながら、特許文献１に記載の熱電変換ユニットでは、受熱ジャケットが受熱した熱をヒートシンクの両側まで効率良く伝えきれないことが考えられ、冷却液体を所望の温度に冷却することが難しい恐れがある。また、さらにヒートシンクを大きくすることは、ヒートシンク全体に熱を伝える手段としては非効率で、冷却装置が大型化するという課題があり、冷却ファンの風速を上げると騒音が増加するという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調し、変調した光を投写するプロジェクターであって、当該プロジェクター内部の光学素子を冷却する冷却装置を備え、前記冷却装置は、前記光学素子の熱を受熱する受熱部と、前記受熱部の熱を吸熱する吸熱部、および前記吸熱部が熱を吸熱することにより発熱する発熱部を有する熱電変換素子と、前記発熱部に熱伝導可能に配置されるヒートシンクと、内部に作動液を収容し、前記発熱部の熱を受熱して前記作動液が還流することにより熱移動が行われるヒートパイプと、を備え、前記ヒートシンクは、前記熱電変換素子側から見て、前記熱電変換素子に重なる積層部、および前記熱電変換素子から飛び出す突出部を有し、前記ヒートパイプは、前記熱電変換素子と前記積層部との間に位置する内装部、および前記突出部に沿って延出する延出部を有することを特徴とする。
【０００８】
ヒートパイプは、管状の部材の内部に作動液が封入された構成を有し、この作動液が蒸発部で蒸発してその蒸気が凝縮部に移動し、凝縮部で液体に凝縮されて蒸発部に還流することで熱移動が行われる。
この構成によれば、ヒートシンクは、積層部および突出部を有し、熱電変換素子より大きく形成されている。そして、ヒートパイプは、上述したように、熱電変換素子とヒートシンクの積層部との間に位置する内装部、および突出部に沿って延出する延出部を有している。すなわち、熱電変換素子の発熱部が発する熱は、積層部および内装部に伝わることとなる。
これによって、ヒートパイプにおいて、内装部を蒸発部とし、延出部を凝縮部として構成することができるので、このヒートパイプによって、熱電変換素子から伝わる熱をヒートシンクの突出部に充分伝えることが可能となる。よって、ヒートパイプを備えない構成においては、ヒートシンクにおける積層部から突出部に充分伝えることができなかった熱をヒートパイプによって効率良く突出部に伝えることができる。よって、熱電変換素子より大きなヒートシンクを形成しても、ヒートシンクの能力を充分に発揮させて受熱部の熱を放熱させ、光学素子を効率良く冷却することが可能となる。したがって、長期に亘って画質の良好な画像を投写できるプロジェクターの提供が可能となる。
また、プロジェクターがヒートシンクを放熱するための冷却ファンを備える構成においては、小型の冷却ファンを用いることや冷却ファンの低電力駆動が可能となるので、プロジェクターの大型化の抑制や、低騒音化が可能となる。
【０００９】
［適用例２］上記適用例に係るプロジェクターにおいて、前記冷却装置は、並設される複数の前記熱電変換素子を備え、前記突出部は、前記複数の熱電変換素子の並設方向に設けられていることが好ましい。
【００１０】
この構成によれば、熱電変換素子は、複数設けられ、ヒートシンクの突出部は、複数の熱電変換素子の並設方向に設けられている。これによって、１つの熱電変換素子を用いて構成する場合に比べ、サイズが小さな熱電変換素子を用いても所望の熱電変換能力を発揮させることができるので、並設方向と直交する方向がプロジェクターの厚み方向に沿うように構成することで、プロジェクターの厚みの増加を抑制して光学素子を効率良く冷却することが可能となる。
また、必要とされる冷却能力が異なるプロジェクターに対応してこの熱電変換素子の数を設定することができるので、大きさの異なる熱電変換素子を新たに製造することなく、この熱電変換素子を共通化して多種のプロジェクターに搭載可能なものとすることができる。
【００１１】
［適用例３］上記適用例に係るプロジェクターにおいて、前記冷却装置は、前記受熱部と前記複数の熱電変換素子との間に配置され、前記受熱部の熱を前記複数の熱電変換素子の前記吸熱部に伝導させる熱伝導部材をさらに備え、前記熱伝導部材は、前記受熱部側から見て、前記複数の熱電変換素子を覆う大きさを有していることが好ましい。
【００１２】
この構成によれば、受熱部側から見て、受熱部が複数の熱電変換素子と部分的に重なるように、受熱部のサイズが小さい構成であっても、１つの受熱部でこの受熱部からの熱を熱伝導部材を介して複数の熱電変換素子の吸熱部全てに伝えることができる。これによって、熱電変換素子の能力を充分発揮させて受熱部からの熱を効率良く吸熱部で吸熱させ、発熱部で発熱させることが可能となる。
また、冷却装置の必要とされる冷却能力が異なるプロジェクターに対応してこの熱電変換素子の数を設定し、その複数の熱電変換素子に合ったサイズの熱伝導部材を用いれば、サイズの大きな受熱部を新たに製造することなく、光学素子を効率良く冷却できるプロジェクターが可能となる。よって、構造が複雑で高価な受熱部を多種のプロジェクターに搭載できる共通の部材として構成することが可能となる。
【００１３】
［適用例４］上記適用例に係るプロジェクターにおいて、前記ヒートシンクにおける前記突出部は、前記積層部の一方の側に位置する第１の突出部、および前記積層部の他方の側に位置する第２の突出部を有し、前記ヒートパイプにおける前記延出部は、前記第１の突出部に沿う第１の延出部、および前記第２の突出部に沿う第２の延出部を有することが好ましい。
【００１４】
この構成によれば、ヒートシンクは、積層部の両側に突出部（第１の突出部、および第２の突出部）が設けられ、ヒートパイプは、この両側の突出部にそれぞれ沿う延出部（第１の延出部、および第２の延出部）を有している。これによって、熱電変換素子から積層部に伝わる熱を、積層部の両側に拡散させると共に、熱電変換素子からヒートパイプの内装部に伝わる熱を延出部から積層部の両側の突出部に伝えることができる。よって、ヒートシンクの能力をより効率的に発揮させて受熱部の熱を放熱させ、光学素子を効率良く冷却することが可能となる。
【００１５】
［適用例５］上記適用例に係るプロジェクターにおいて、前記冷却装置は、前記第１の突出部の前記熱電変換素子からの飛び出し量が、前記第２の突出部の前記熱電変換素子からの飛び出し量より小さく構成され、前記第１の突出部側から前記ヒートシンクに冷却空気を送風する冷却ファンをさらに備えることが好ましい。
【００１６】
この構成によれば、熱電変換素子からの飛び出し量が小さい側（第１の突出部側）から大きい側（第２の突出部側）に向けて冷却空気が送風される。これによって、ヒートシンクにおいて、熱電変換素子から熱が伝わる積層部に近い側、すなわちヒートシンクにおける温度が高くなる部位に近い側から冷却空気をヒートシンクに送風するので、ヒートシンクをより効率良く放熱させることが可能となる。
【００１７】
［適用例６］上記適用例に係るプロジェクターにおいて、前記ヒートパイプは、毛細管力によって前記作動液を移動させる毛細管状の流路を有することが好ましい。
【００１８】
この構成によれば、ヒートパイプは、毛細管力によって作動液を移動させる構成なので、内装部（蒸発部）が延出部（凝縮部）の上方に位置する姿勢であっても、内装部（蒸発部）から延出部（凝縮部）に熱を移動させることができる。よって、プロジェクターは、横長の画像を投写する横置き姿勢はもとより、様々な姿勢、例えば、横置き姿勢から９０°回転されて縦長の画像を投写する縦置き姿勢や、横長の画像や縦長の画像を上方や下方に投写する姿勢であっても、光学素子を安定して冷却し、光学素子の劣化を抑制して画像の投写が可能となる。
【００１９】
［適用例７］上記適用例に係るプロジェクターにおいて、前記受熱部は、内部に冷却液体が流通する流路を有し、前記冷却装置は、内部に前記冷却液体が流通する流路を有し、前記光学素子を保持する光学素子保持部と、前記冷却液体を吸入および圧送する液体圧送部と、内部に前記冷却液体を貯留する供給タンクと、前記光学素子保持部、前記液体圧送部、前記供給タンク、および前記受熱部に前記冷却液体が環状に流通するように、前記光学素子保持部、前記液体圧送部、前記供給タンク、および前記受熱部を接続する管状部材と、をさらに備えることが好ましい。
【００２０】
この構成によれば、冷却装置には、液体圧送部、供給タンク、受熱部、光学素子保持部および管状部材で構成され、冷却液体が流通する環状の流路が形成されている。
これによって、光源からの光によって、光学素子で発生した熱を冷却液体を介して受熱部に伝導させることができる。そして、冷却装置は、上述したように、熱電変換素子およびヒートパイプによって受熱部の熱をヒートシンクに効率良く伝導させるので、冷却液体を効率良く冷却することができる。よって、受熱部で冷却した冷却液体が流通する光学素子保持部の冷却、ひいては光学素子の効率的な冷却が可能となる。
【図面の簡単な説明】
【００２１】
【図１】第１実施形態のプロジェクターの主な構成を示す模式図。
【図２】第１実施形態における冷却装置の主な構成を示すブロック図。
【図３】第１実施形態における熱交換ユニットの斜視図。
【図４】第１実施形態における熱交換ユニットの分解図。
【図５】第１実施形態における熱交換ユニットの断面図。
【図６】第１実施形態における熱交換ユニットの平面図。
【図７】第２実施形態における熱交換ユニットの斜視図。
【図８】第２実施形態における熱交換ユニットの分解図。
【図９】第２実施形態における熱交換ユニットの断面図。
【図１０】変形例における熱交換ユニットの模式図。
【発明を実施するための形態】
【００２２】
（第１実施形態）
以下、第１実施形態に係るプロジェクターについて、図面を参照して説明する。
本実施形態のプロジェクターは、光源から射出された光を画像情報に応じて変調し、変調した光をスクリーン等の投写面に拡大投写する。
【００２３】
〔プロジェクターの主な構成〕
図１は、本実施形態のプロジェクター１の主な構成を示す模式図である。
プロジェクター１は、図１に示すように、外装を構成する外装筐体２、制御部（図示省略）、光源３１１を有する光学ユニット３、および冷却装置４を備えている。なお、図示は省略するが、外装筐体２の内部には、さらに、光源３１１や制御部に電力を供給する電源装置等が配置されている。なお、図１において、冷却装置４については、一部を示している。また、以下では、説明の便宜上、プロジェクター１にて変調された光の射出方向を＋Ｙ方向（前方向）、壁等に設置された投写面に横長の画像を投写する横置き姿勢におけるプロジェクター１の上側を＋Ｚ側、横置き姿勢におけるプロジェクター１を後方から見た右側を＋Ｘ方向として記載する。
【００２４】
外装筐体２は、詳細な説明は省略するが、複数の部材が組み合わされて構成され、変調された光が通過する開口部、外気を取り込む吸気口や内部の空気が排出される排気口が設けられている。
【００２５】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４の動作に関わる制御等を行う。
【００２６】
光学ユニット３は、光源３１１から射出された光を制御部による制御の下、画像情報に応じて変調し、変調した光を投写面に投写する。
光学ユニット３は、図１に示すように、一対の光源装置３１Ａ，３１Ｂ、反射ミラー３１Ｃ、照明光学装置３２、色分離光学装置３３、光変調装置を有する光学装置３４、投写光学装置としての投写レンズ３５、およびこれら各部材３１Ａ，３１Ｂ、３２〜３４を内部に収納する光学部品用筐体３６を備える。
【００２７】
一対の光源装置３１Ａ，３１Ｂは、同様の構成を有し、放電型の光源３１１およびリフレクター３１２を備える。そして、一対の光源装置３１Ａ，３１Ｂは、反射ミラー３１Ｃに向けて光束を射出するように反射ミラー３１Ｃを挟んで対向配置されている。そして、一対の光源装置３１Ａ，３１Ｂから射出された光束は、反射ミラー３１Ｃにより、光学部品用筐体３６内部に設定された照明光軸Ａｘに沿って反射され、照明光学装置３２に照射される。
【００２８】
照明光学装置３２は、レンズアレイ３２１，３２２、偏光変換素子３２３、および重畳レンズ３２４を備える。レンズアレイ３２１，３２２、および重畳レンズ３２４は、光源装置３１Ａ，３１Ｂから射出された光を光変調装置の表面で略均一化させる。偏光変換素子３２３は、レンズアレイ３２２から射出されたランダム光を光変調装置で利用可能な第１の直線偏光光に揃える。
【００２９】
色分離光学装置３３は、ダイクロイックミラー３３１，３３２、および反射ミラー３３３〜３３６を備え、照明光学装置３２から射出された光を赤色光（Ｒ光）、緑色光（Ｇ光）、および青色光（Ｂ光）に分離する。
【００３０】
光学装置３４は、光変調装置としての３つの液晶パネル３４１（Ｒ光用の液晶パネルを３４１Ｒ、Ｇ光用の液晶パネルを３４１Ｇ、Ｂ光用の液晶パネルを３４１Ｂとする）、各液晶パネル３４１の光入射側、光射出側にそれぞれ配置された入射側偏光板３４２、射出側偏光板３４３、および色合成光学装置としてのクロスダイクロイックプリズム３４４を備える。
液晶パネル３４１は、図示しない複数の微小画素がマトリックス状に設けられた矩形状の画像形成領域を有し、各画素が画像情報に応じた光透過率に設定される。色分離光学装置３３で分離された各色光は、各液晶パネル３４１にて画像情報に応じてそれぞれ変調され、クロスダイクロイックプリズム３４４にて合成され、投写レンズ３５にてスクリーン等（図示略）に投写される。
【００３１】
冷却装置４は、環状の流路に沿ってプロピレングリコール等の冷却液体を循環させることにより、光学素子としての液晶パネル３４１を冷却する装置である。なお、詳細な説明は省略するが、プロジェクター１内には、液晶パネル３４１以外の光学部品や、電源装置等を冷却するためのファンや、ダクト等が配置されている。
【００３２】
図２は、冷却装置４の主な構成を示すブロック図である。
冷却装置４は、図２に示すように、３つの光学素子保持部４１、液体圧送部４２、供給タンク４３、熱交換ユニット５、複数の管状部材４５、および冷却ファン４６を備えている。
３つの光学素子保持部４１は、詳細な図示は省略するが、液晶パネル３４１Ｒ，３４１Ｇ，３４１Ｂをそれぞれ保持すると共に、内部に冷却液体が流動する流路が設けられている。液晶パネル３４１Ｒ用の光学素子保持部４１を４１Ｒ、液晶パネル３４１Ｇ用の光学素子保持部４１を４１Ｇ、液晶パネル３４１Ｂ用の光学素子保持部４１を４１Ｂとする。
【００３３】
液体圧送部４２は、冷却液体を吸入および圧送するポンプであり、環状の流路に沿って冷却液体を循環させる。この液体圧送部４２には、冷却液体を吸入する吸入口、冷却液体を圧送する流出口が設けられている。
【００３４】
供給タンク４３は、アルミニウム等の熱伝導率が高い部材で略直方体状に形成され、内部に冷却液体を貯留し、環状の流路に流通する冷却液体を供給する。
供給タンク４３には、内部に冷却液体を注入するための注入口、冷却液体が流入する流入口、および冷却液体が流出する流出口が設けられている。すなわち、供給タンク４３には、冷却装置４が組み立てられた後、注入口から冷却液体が注入される。
【００３５】
管状部材４５は、柔軟性を有する部材で形成され、図２に示すように、光学素子保持部４１Ｂ〜光学素子保持部４１Ｇ〜光学素子保持部４１Ｒ〜液体圧送部４２〜供給タンク４３〜後述する受熱部５１〜光学素子保持部４１Ｂに冷却液体が環状に流通するように、それぞれの部材の間を接続する。
【００３６】
熱交換ユニット５は、後で詳細に説明するが、受熱部５１、熱電変換素子としてのペルチェ素子５２やヒートシンク５３等を備えている。熱交換ユニット５は、光源３１１からの光が照射されることによって発熱する液晶パネル３４１の熱を光学素子保持部４１および冷却液体を介して受熱部５１が受熱し、ペルチェ素子５２等を介してヒートシンク５３に伝導させる。
【００３７】
冷却ファン４６は、シロッコファンで構成され、熱交換ユニット５のヒートシンク５３に冷却空気を送風し、発熱したヒートシンク５３の熱を放熱させる。
【００３８】
〔熱交換ユニットの構成〕
ここで、熱交換ユニット５について詳細に説明する。
図３は、熱交換ユニット５の斜視図であり、（ａ）は、後方斜めから見た図、（ｂ）は前方斜めから見た図である。図４は、熱交換ユニット５の分解図であり、（ａ）は、後方斜めから見た図、（ｂ）は前方斜めから見た図である。図５は、熱交換ユニット５の断面図である。
【００３９】
熱交換ユニット５は、図３、図４に示すように、受熱部５１、２つのペルチェ素子５２、ヒートシンク５３に加え、熱伝導部材５４、固定枠５５、支持部材５６、およびヒートパイプ５７を備えている。
熱交換ユニット５は、図５に示すように、受熱部５１、熱伝導部材５４、ペルチェ素子５２、支持部材５６に固定されたヒートパイプ５７、およびヒートシンク５３が積層された構成を有している。
【００４０】
受熱部５１は、略直方体状の外形の内部に冷却液体が流通する複数の微細な流路（図示省略）、およびこの流路に連通する流入口５１１、流出口５１２（図３（ａ）参照）を備え、いわゆるマイクロチャンネル等の熱交換器の構造を有している。そして、受熱部５１は、流入口５１１から流入し、微細な流路を流れる冷却液体から熱を受熱する。微細な流路を流れた冷却液体は、流出口５１２から流出する。
また、図４（ｂ）に示すように、受熱部５１の四隅には、ネジＳＣ（図３（ｂ）参照）が螺合されるネジ溝５１Ｓが形成されている。
【００４１】
熱伝導部材５４は、アルミニウム等で板状に形成され、受熱部５１と２つのペルチェ素子５２との間に配置され、受熱部５１の熱を２つのペルチェ素子５２に伝導させる。また、熱伝導部材５４は、図３（ａ）に示すように、平面視長方形状の形状を有し、短手方向の大きさが受熱部５１の大きさと同程度に形成され、長手方向における大きさが受熱部５１の大きさより大きく形成されている。そして、受熱部５１は、熱伝導部材５４の長手方向の略中央に配置される。
また、図４（ｂ）に示すように、熱伝導部材５４には、受熱部５１のネジ溝５１Ｓに対応する位置にネジＳＣ（図３（ｂ）参照）が挿通される挿通孔５４１が形成されている。
【００４２】
２つのペルチェ素子５２は、同様の構成、同一のサイズを有している。
ペルチェ素子５２は、具体的な図示は省略するが、ｐ型半導体とｎ型半導体とが金属片で接合されたＰＮ接合を複数有し、一方の側に吸熱部５２ａ、他方の側に発熱部５２ｂが設けられている。２つのペルチェ素子５２は、吸熱部５２ａが熱伝導部材５４に熱伝導可能に、熱伝導部材５４の長手方向に沿って並設される。そして、ペルチェ素子５２は、電力が供給されると、熱伝導部材５４を介して受熱部５１の熱を吸熱部５２ａで吸熱し、発熱部５２ｂで発熱する。なお、ペルチェ素子５２には、図３（ａ）に示すように、ケーブルＣＡ、コネクターＣＮが接続されており、このケーブルＣＡ、コネクターＣＮを介して電源装置から電力が供給される。
【００４３】
図６は、熱交換ユニット５の平面図であり、（ａ）は、受熱部５１、熱伝導部材５４および２つのペルチェ素子５２の位置関係を示す図、（ｂ）は、２つのペルチェ素子５２、ヒートパイプ５７、およびヒートシンク５３の位置関係を示す図である。
ペルチェ素子５２は、略直方体状に形成され、平面サイズは、縦横ともに受熱部５１の平面サイズより小さい形状を有している。そして、並設された２つのペルチェ素子５２は、図６（ａ）に示すように、熱伝導部材５４の短手方向（Ｚ方向）において、受熱部５１の略中央に配置され、熱伝導部材５４の長手方向（Ｙ方向）において、受熱部５１から一部が飛び出るように配置される。
一方、熱伝導部材５４は、図６（ａ）に示すように、並設された２つのペルチェ素子５２を覆う形状を有し、２つのペルチェ素子５２は、熱伝導部材５４の略中央に配置される。
【００４４】
このように、受熱部５１には、熱伝導部材５４が熱伝導可能に配置され、熱伝導部材５４には２つのペルチェ素子５２が熱伝導可能に配置される。そして、受熱部５１の熱は、熱伝導部材５４を介して、２つのペルチェ素子５２に伝導する。
また、熱伝導部材５４を備えない構成においては、並設された２つのペルチェ素子５２が受熱部５１から飛び出すことにより、ペルチェ素子５２の吸熱部５２ａの一部は、受熱部５１からの熱を吸熱する機能を充分発揮できないが、熱伝導部材５４を介することによって、ペルチェ素子５２の吸熱部５２ａ全てを使って受熱部５１からの熱を吸熱することができる。
【００４５】
固定枠５５は、合成樹脂等で形成されており、２つのペルチェ素子５２を保持する機能、および支持部材５６、ヒートシンク５３を位置決めする機能を有している。
固定枠５５は、図４に示すように、平面視長方形状に形成され、長手方向の大きさが熱伝導部材５４の長手方向の大きさより大きく形成されており、中央部には、２つのペルチェ素子５２が配置される開口部５５１が設けられている。２つのペルチェ素子５２は、吸熱部５２ａおよび発熱部５２ｂが固定枠５５から露出し、外縁部と開口部５５１の周縁部との間にシール剤が注入されて固定枠５５に保持される。
【００４６】
また、固定枠５５には、図４（ｂ）に示すように、支持部材５６を位置決めするために支持部材５６側に起立するリブ５５２，５５３、支持部材５６およびヒートシンク５３を位置決めするための円柱状の突起５５４が設けられている。また、固定枠５５には、受熱部５１のネジ溝５１Ｓに対応する位置にネジＳＣ（図３（ｂ）参照）が挿通される挿通孔５５５が形成されている。
【００４７】
支持部材５６は、２つのペルチェ素子５２とヒートシンク５３との間に配置される部材であり、２つのペルチェ素子５２の発熱部５２ｂの熱をヒートシンク５３、ヒートパイプ５７に伝える機能、およびヒートパイプ５７を支持する機能を有している。
支持部材５６は、アルミニウム等の熱伝導性部材で平面視長方形の板状に形成されており、長手方向が固定枠５５の長手方向と略同じ大きさの形状を有し、固定枠５５のリブ５５２，５５３間に配置される。
【００４８】
そして、図４（ｂ）に示すように、支持部材５６のヒートシンク５３側の面には、短手方向において中央部となり、長手方向に延出する凹部５６１が設けられている。凹部５６１は、ヒートパイプ５７が嵌合される大きさに形成されている。
また、支持部材５６には、図４（ｂ）に示すように、受熱部５１のネジ溝５１Ｓに対応する位置にネジＳＣ（図３（ｂ）参照）が挿通される挿通孔５６２、固定枠５５の突起５５４が挿通される位置決め孔５６３が設けられている。
【００４９】
ヒートパイプ５７は、銅等の管状の部材に作動液が収容された構成を有し、支持部材５６を介してペルチェ素子５２の発熱部５２ｂの熱を受熱することによる作動液の蒸発、および凝縮によって熱移動を行う。また、ヒートパイプ５７は、内部に焼結金属等で形成された毛細管状の流路を有し、毛細管力によって作動液を移動させる。
本実施形態のヒートパイプ５７は、図４（ｂ）に示すように、略直線に沿って延出する形状を有し、支持部材５６の凹部５６１に配置される。
ヒートパイプ５７は、図５に示すように、凹部５６１に配置された状態で、ヒートシンク５３側の面が支持部材５６のヒートシンク５３側の面と略面一となるように形成されている。そして、ヒートパイプ５７が取り付けられた支持部材５６とヒートシンク５３とが組み合わされた際に、支持部材５６とヒートシンク５３、およびヒートパイプ５７とヒートシンク５３とが良好に熱伝導する。
【００５０】
ヒートシンク５３は、アルミニウム等で形成され、図３、図４に示すように、板状のベース部５３１、およびベース部５３１の一方の面から突出する複数のフィン５３２を有している。
ベース部５３１は、支持部材５６の平面形状と同等の平面形状を有し、ヒートパイプ５７が支持された支持部材５６に重ねられ、支持部材５６およびヒートパイプ５７に熱伝導可能に配置される。すなわち、ヒートシンク５３は、支持部材５６を介してペルチェ素子５２の発熱部５２ｂに熱伝導可能に配置される。
ベース部５３１および支持部材５６は、図６（ｂ）に示すように、短手方向がペルチェ素子５２を覆う大きさに形成されており、２つのペルチェ素子５２は、ベース部５３１および支持部材５６に対し、長手方向の略中央に配置される。
【００５１】
そして、ヒートシンク５３は、図６（ｂ）に示すように、ペルチェ素子５２側から見て、２つのペルチェ素子５２に重なる積層部５３Ａ、および２つのペルチェ素子５２の並設方向に設けられた第１の突出部５３Ｂ、第２の突出部５３Ｃを有している。第１の突出部５３Ｂは、積層部５３Ａの前方（＋Ｙ方向）に設けられ、第２の突出部５３Ｃは、積層部５３Ａの後方（−Ｙ方向）に設けられている。第１の突出部５３Ｂおよび第２の突出部５３Ｃは、ペルチェ素子５２側から見て、ペルチェ素子５２からそれぞれ飛び出すこととなり、それぞれのペルチェ素子５２からの飛び出し量（ヒートシンク５３の長手方向（Ｙ方向）における長さ）は、略同等になっている。
また、ベース部５３１には、図４（ｂ）に示すように、受熱部５１のネジ溝５１Ｓに対応する位置にネジＳＣ（図３（ｂ）参照）が挿通される挿通孔５３１１、固定枠５５の突起５５４が挿通される位置決め孔５３１２が設けられている。
【００５２】
複数のフィン５３２は、連続的に薄板状に切り起こされることによってベース部５３１と一体的に形成されており、ベース部５３１の長手方向に沿って断続的に延出している。また、複数のフィン５３２は、ヒートパイプ５７の延出方向に沿って延出することとなる。
【００５３】
ヒートパイプ５７は、図６（ｂ）に示すように、ペルチェ素子５２側から見て、中央の部位が２つのペルチェ素子５２に重なるように配置される。具体的に、ヒートパイプ５７は、２つのペルチェ素子５２と、ヒートシンク５３の積層部５３Ａとの間に熱伝導可能に位置する内装部５７Ａ、および第１の突出部５３Ｂ、第２の突出部５３Ｃそれぞれに沿って延出する第１の延出部５７Ｂ、第２の延出部５７Ｃを有する。
第１の突出部５３Ｂ、第２の突出部５３Ｃがヒートシンク５３の長手方向において略同等の長さを有していると同様に、第１の延出部５７Ｂの長さと、第２の延出部５７Ｃの長さも略同等に形成されている。
そして、ヒートパイプ５７は、内装部５７Ａが作動液の蒸発する蒸発部の機能を有し、第１の延出部５７Ｂ、第２の延出部５７Ｃが凝縮部の機能を有することとなり、内装部５７Ａと第１の延出部５７Ｂ、第２の延出部５７Ｃとの間で熱移動が行われる。
【００５４】
熱交換ユニット５は、ヒートシンク５３のフィン５３２が形成されている側（図４（ｂ）においては、＋Ｘ側）から挿通孔５３１１，５６２，５５５，５４１に挿通されたネジＳＣが受熱部５１のネジ溝５１Ｓに螺合されて一体化される。
熱交換ユニット５が一体化されることによって、受熱部５１〜熱伝導部材５４〜ペルチェ素子５２〜支持部材５６、支持部材５６〜ヒートパイプ５７〜ヒートシンク５３、支持部材５６〜ヒートシンク５３への熱伝達経路が形成される。なお、熱伝導可能に配置される互いの部材の間、例えば、ペルチェ素子５２と支持部材５６との間や、ヒートパイプ５７が取り付けられた支持部材５６とヒートシンク５３との間に、より熱伝導性が高まるように熱伝導性のグリスを塗布するように構成してもよい。
【００５５】
そして、一体化された熱交換ユニット５は、図１に示すように、受熱部５１がヒートシンク５３の左側（−Ｘ側）に位置し、ヒートシンク５３の長手方向がＹ方向に略沿うように配置される。すなわち、熱交換ユニット５は、２つのペルチェ素子５２が並設された並設方向と直交する方向がプロジェクター１の厚み方向に沿うように配置される。また、冷却ファン４６は、図１に示すように、熱交換ユニット５の前方（＋Ｙ方向）から複数のフィン５３２の延出する方向に沿って冷却空気を送風するように配置される。
【００５６】
〔冷却動作〕
ここで、冷却装置４による冷却動作について説明する。
冷却装置４は、液体圧送部４２が駆動されることによって、管状部材４５を介して、液体圧送部４２、供給タンク４３、熱交換ユニット５、光学素子保持部４１、液体圧送部４２の順で冷却液体を還流させ、液晶パネル３４１Ｒ，３４１Ｇ，３４１Ｂを冷却する。
【００５７】
具体的に、液晶パネル３４１Ｒ，３４１Ｇ，３４１Ｂは、光源３１１から射出された光が照射されることによって、発熱する。この液晶パネル３４１Ｒ，３４１Ｇ，３４１Ｂで発生した熱は、それぞれの光学素子保持部４１Ｒ，４１Ｇ，４１Ｂを介して冷却液体に伝導する。光学素子保持部４１Ｒ，４１Ｇ，４１Ｂでは、光学素子保持部４１Ｂ、光学素子保持部４１Ｇ、光学素子保持部４１Ｒの順で流動し、その後、液体圧送部４２、供給タンク４３の順で流動し、熱交換ユニット５の受熱部５１に流入する。
【００５８】
受熱部５１に流入した冷却液体は、受熱部５１内の複数の微細流路を流動する際、受熱部５１に熱を伝える。
受熱部５１に伝導した熱は、熱伝導部材５４を介してペルチェ素子５２の吸熱部５２ａに伝導する。ペルチェ素子５２は、吸熱部５２ａに熱が伝えられると、この熱を吸熱し、発熱部５２ｂが発熱する。発熱部５２ｂの熱は、支持部材５６を介して、ヒートシンク５３、およびヒートパイプ５７に伝導する。
ヒートシンク５３の積層部５３Ａ、およびヒートパイプ５７の内装部５７Ａは、支持部材５６を介して発熱部５２ｂに対向する位置にあるため、発熱量が特に大きくなる。
【００５９】
ヒートパイプ５７は、内装部５７Ａが発熱することによって、内装部５７Ａ内の作動液が蒸発し、この内装部５７Ａ内で発生した蒸気は、第１の延出部５７Ｂおよび第２の延出部５７Ｃに移動する。第１の延出部５７Ｂおよび第２の延出部５７Ｃに移動した蒸気は、第１の延出部５７Ｂおよび第２の延出部５７Ｃで凝縮し、ヒートパイプ５７内の毛細管状の流路によって内装部５７Ａに移動する。このように、ヒートパイプ５７は、内装部５７Ａと第１の延出部５７Ｂおよび第２の延出部５７Ｃとの間で作動液が還流することにより、内装部５７Ａの熱を第１の延出部５７Ｂおよび第２の延出部５７Ｃに伝える。
【００６０】
第１の延出部５７Ｂおよび第２の延出部５７Ｃの熱は、ヒートシンク５３の第１の突出部５３Ｂおよび第２の突出部５３Ｃに伝わる。
積層部５３Ａ、第１の突出部５３Ｂおよび第２の突出部５３Ｃに伝わった熱は、フィン５３２に伝導し、冷却ファン４６から送風される冷却空気により放熱される。
このように、受熱部５１に伝導した熱は、熱伝導部材５４、ペルチェ素子５２、支持部材５６およびヒートパイプ５７を介してヒートシンク５３に伝えられ、冷却ファン４６によって放熱される。なお、ヒートシンク５３を冷却した空気は、光源装置３１Ａ，３１Ｂを冷却した後、外装筐体２に設けられた排気口（図示省略）からプロジェクター１外部に排気される。
そして、受熱部５１に伝導した熱が熱交換ユニット５で放熱されることにより、受熱部５１内の冷却液体は、冷却され、光学素子保持部４１Ｂ、光学素子保持部４１Ｇ、光学素子保持部４１Ｒの順で、これらの部材に流動し、液晶パネル３４１Ｂ，３４１Ｇ，３４１Ｒを冷却する。
【００６１】
また、ヒートパイプ５７は、毛細管力によって作動液を移動させるように構成されているので、内装部５７Ａ（蒸発部）が第１の延出部５７Ｂ（凝縮部）あるいは第２の延出部５７Ｃ（凝縮部）の上方に位置する姿勢であっても、内装部５７Ａ（蒸発部）から第１の延出部５７Ｂ（凝縮部）および第２の延出部５７Ｃ（凝縮部）に熱を移動させることができる。すなわち、冷却装置４は、プロジェクター１が様々な姿勢に変えられても、液晶パネル３４１Ｒ，３４１Ｇ，３４１Ｂを安定して冷却することができる。
このように、冷却装置４は、ヒートパイプ５７を有する熱交換ユニット５を備え、ヒートシンク５３の大きさを有効に利用して、液晶パネル３４１Ｒ，３４１Ｇ，３４１Ｂを冷却する。
【００６２】
以上説明したように、本実施形態によれば、以下の効果を得ることができる。
（１）ヒートパイプ５７において、内装部５７Ａを蒸発部とし、第１の延出部５７Ｂ、第２の延出部５７Ｃを凝縮部として構成することができるので、このヒートパイプ５７によって、ペルチェ素子５２から伝わる熱をヒートシンク５３の第１の突出部５３Ｂおよび第２の突出部５３Ｃに効率良く伝えることが可能となる。よって、ペルチェ素子５２より大きなヒートシンク５３を形成しても、ヒートシンク５３の能力を充分に発揮させて受熱部５１の熱を放熱させ、液晶パネル３４１を効率良く冷却することが可能となる。したがって、長期に亘って画質の良好な画像を投写できるプロジェクター１の提供が可能となる。
また、ヒートシンク５３を放熱するための冷却ファン４６として小型のファンを用いることや、冷却ファン４６の低電力駆動が可能となるので、プロジェクター１の大型化の抑制や、低騒音化が可能となる。
【００６３】
（２）ペルチェ素子５２は、２つ設けられ、ヒートシンク５３の第１の突出部５３Ｂおよび第２の突出部５３Ｃは、２つのペルチェ素子５２の並設方向に設けられている。そして、熱交換ユニット５は、２つのペルチェ素子５２が並設された並設方向と直交する方向がプロジェクター１の厚み方向に沿うように配置される。これによって、１つのペルチェ素子５２を用いる場合に比べ、サイズが小さなペルチェ素子を用いても所望の熱電変換能力を発揮させることができるので、プロジェクター１の厚みの増加を抑制して液晶パネル３４１を効率良く冷却することが可能となる。
また、必要とされる冷却能力が異なるプロジェクターに対応してペルチェ素子５２の数を設定することができるので、大きさの異なるペルチェ素子を新たに製造することなく、このペルチェ素子５２を共通化して多種のプロジェクターに搭載可能なものとすることができる。
【００６４】
（３）２つのペルチェ素子５２は、受熱部５１側から見て、受熱部５１から一部が飛び出るように配置されるが、２つのペルチェ素子５２と受熱部５１との間には、２つのペルチェ素子５２を覆う大きさの熱伝導部材５４が配置されるので、受熱部５１からの熱をペルチェ素子５２の吸熱部５２ａ全てに伝えることができる。これによって、２つのペルチェ素子５２の能力を充分発揮させて受熱部５１からの熱を効率良く吸熱部５２ａで吸熱させ、発熱部５２ｂで発熱させることが可能となる。
また、冷却装置の必要とされる冷却能力が異なるプロジェクターに対応してこのペルチェ素子５２の数を設定し、その複数のペルチェ素子５２に合ったサイズの熱伝導部材を用いれば、サイズの大きな受熱部を新たに製造することなく、液晶パネル３４１を効率良く冷却できるプロジェクターが可能となる。よって、構造が複雑で高価な受熱部５１を多種のプロジェクターに搭載できる共通の部材として構成することが可能となる。
【００６５】
（４）ヒートシンク５３は、積層部５３Ａの両側に突出部（第１の突出部５３Ｂ、および第２の突出部５３Ｃ）が設けられ、ヒートパイプ５７は、この両側の突出部にそれぞれ沿う延出部（第１の延出部５７Ｂ、および第２の延出部５７Ｃ）を有している。これによって、ペルチェ素子５２から積層部５３Ａに伝わる熱を、積層部５３Ａの両側に拡散させると共に、ペルチェ素子５２からヒートパイプ５７の内装部５７Ａに伝わる熱を延出部から積層部５３Ａの両側の突出部に伝えることができる。よって、ヒートシンク５３の能力をより効率的に発揮させて受熱部５１の熱を放熱させ、液晶パネル３４１を効率良く冷却することが可能となる。
【００６６】
（５）冷却装置４は、毛細管力によって作動液を移動させるヒートパイプ５７を備えているので、プロジェクター１が様々な姿勢に変えられても、液晶パネル３４１を安定して冷却することができる。よって、プロジェクター１が投写レンズ３５の光軸３５Ａｘ（図１参照）に沿う中心軸を中心に回転された姿勢や、水平面に対する光軸３５Ａｘの角度が変えられた姿勢であっても、冷却装置４は、液晶パネル３４１を確実に冷却することが可能となる。よって、プロジェクター１は、壁等に設置されたスクリーンに横長の画像を投写する横置き姿勢はもとより、縦長の画像を投写する縦置き姿勢や、横長の画像や縦長の画像を上方や下方に投写する姿勢での投写が可能となり、様々なシーンに対応させて設置できるプロジェクター１の提供が可能となる。
【００６７】
（６）冷却装置４には、液体圧送部４２、供給タンク４３、受熱部５１、光学素子保持部４１Ｂ，４１Ｇ，４１Ｒおよび管状部材４５で構成され、冷却液体が流通する環状の流路が形成されている。
これによって、光源３１１からの光によって、液晶パネル３４１で発生した熱を冷却液体を介して受熱部５１に伝導させることができる。そして、冷却装置４は、上述したように、ペルチェ素子５２およびヒートパイプ５７によって受熱部５１の熱をヒートシンク５３に効率良く伝導させるので、冷却液体を効率良く冷却することができる。よって、受熱部５１で冷却した冷却液体が流通する光学素子保持部４１の冷却、ひいては液晶パネル３４１の効率的な冷却が可能となる。
【００６８】
（第２実施形態）
以下、第２実施形態に係るプロジェクターについて、図面を参照して説明する。以下の説明では、第１実施形態のプロジェクター１と同様の構成および同様の部材には、同一符号を付し、その詳細な説明は省略または簡略化する。
【００６９】
本実施形態のプロジェクター（図示省略）は、第１実施形態のプロジェクター１における熱交換ユニット５と構成の異なる熱交換ユニット７を備えている。
図７は、本実施形態の熱交換ユニット７の斜視図である。図８は、熱交換ユニット７の分解図であり、（ａ）は一方の側から見た図、（ｂ）は、他方の側から見た図である。図９は、熱交換ユニット７の断面図である。
【００７０】
本実施形態の熱交換ユニット７は、図７、図８に示すように、受熱部５１、および１つのペルチェ素子５２に加え、第１実施形態の熱交換ユニット５におけるヒートシンク５３、固定枠５５、およびヒートパイプ５７と形状の異なるヒートシンク７１、固定枠７２、およびヒートパイプ７３を備えている。また、本実施形態の熱交換ユニット７は、第１実施形態の熱交換ユニット５における熱伝導部材５４および支持部材５６に対応する部材を備えない構成となっている。そして、第１実施形態のヒートパイプ５７は、支持部材５６に保持されるように構成されているが、本実施形態のヒートパイプ７３は、ヒートシンク７１に保持されるように構成されている。
【００７１】
熱交換ユニット７は、図９に示すように、受熱部５１、ペルチェ素子５２、ヒートパイプ７３、およびヒートシンク７１が積層された構成を有している。
そして、ペルチェ素子５２は、受熱部５１の略中央に位置するように配置される。
ヒートシンク７１は、図８（ａ）に示すように、板状のベース部７１１、およびベース部７１１の一方の面から突出する複数のフィン７１２を有している。
【００７２】
ベース部７１１は、平面視長方形の板状に形成され、短手方向の大きさが受熱部５１の大きさと同程度に形成され、長手方向における大きさが受熱部５１の大きさより大きく形成されている。そして、受熱部５１は、ベース部７１１に対し、長手方向の略中央に位置するように配置される。すなわち、ヒートシンク７１は、図８（ａ）に示すように、ペルチェ素子５２側から見て、ペルチェ素子５２に重なる積層部７１Ａ、長手方向における積層部７１Ａの一方の側に位置する第１の突出部７１Ｂ、および積層部７１Ａの他方の側に位置する第２の突出部７１Ｃを有する。
【００７３】
ベース部７１１には、複数のフィン７１２とは反対側の面に、ヒートパイプ７３が配置される凹部７１１１が設けられており、ヒートパイプ７３は、この凹部７１１１に配置される。
ヒートパイプ７３は、図８（ａ）に示すように、ペルチェ素子５２と積層部７１Ａの間に位置する内装部７３Ａ、第１の突出部７１Ｂに沿って延出する第１の延出部７３Ｂ、および第２の突出部７１Ｃに沿って延出する第２の延出部７３Ｃを有している。
【００７４】
熱交換ユニット７は、ヒートシンク７１のフィン７１２が形成されている側から、ベース部７１１、固定枠７２にそれぞれ設けられた挿通孔７１１２，７２１（図８（ｂ）参照）に挿通されたネジＳＣが受熱部５１のネジ溝５１Ｓに螺合されて一体化される。
熱交換ユニット７が一体化されることによって、受熱部５１〜ペルチェ素子５２〜ヒートシンク７１、ペルチェ素子５２〜ヒートパイプ７３〜ヒートシンク７１への熱伝達経路が形成される。
【００７５】
熱交換ユニット７は、第１実施形態で説明したと同様に、受熱部５１が受熱した熱を、ペルチェ素子５２およびヒートパイプ７３を介してヒートシンク７１に伝える。また、ヒートパイプ７３においては、第１実施形態のヒートパイプ５７と同様に、内装部７３Ａが蒸発部、第１の延出部７３Ｂおよび第２の延出部７３Ｃが凝縮部として機能し、ペルチェ素子５２からの熱をヒートシンク７１の第１の突出部７１Ｂおよび第２の突出部７１Ｃに伝える。そして、ヒートシンク７１に伝えられた熱は、冷却ファン４６が送風する冷却空気によって放熱される。
【００７６】
以上説明したように、本実施形態によれば、第１実施形態の効果（１）、（４）〜（６）に加え、以下の効果を得ることができる。
熱交換ユニット７は、第１実施形態の熱交換ユニット５に比べ、熱交換の能力は劣るが、部品点数が少なく、また小型軽量化となる構成なので、製造の簡素化や、小型軽量化を図った冷却装置が可能となる。よって、例えば、第１実施形態のプロジェクター１の投写光より明るさが低い投写光を投写するプロジェクターの冷却装置にこの熱交換ユニット７を搭載することで、製造の簡素化や、小型軽量化を図った冷却装置を備えたプロジェクターの提供が可能となる。
【００７７】
なお、前記実施形態は、以下のように変更してもよい。
（変形例１）
前記実施形態の熱交換ユニット５，７は、略直線に沿った形状の１つのヒートパイプ５７，７３を備えるように構成されているが、ヒートパイプの数や形状は、これに限らない。
図１０（ａ）〜（ｄ）は、１つのペルチェ素子５２を備えた熱交換ユニット７の変形例を示す熱交換ユニット８Ａ，８Ｂ，８Ｃ，８Ｄの模式図であり、ペルチェ素子５２、ヒートパイプおよびヒートシンク８２を示す平面図である。
図１０（ａ）に示す熱交換ユニット８Ａのように、第２実施形態のヒートパイプ７３の長さの略半分の長さのヒートパイプ８１Ａを２つ備え、この２つのヒートパイプ８１Ａが１本の直線に沿うように配置されるように構成してもよい。
【００７８】
図１０（ｂ）に示す熱交換ユニット８Ｂのように、第２実施形態のヒートパイプ７３と同様に直線に沿って延出するヒートパイプ８１Ｂを複数備え、この複数のヒートパイプ８１Ｂがヒートパイプ８１Ｂの延出方向に直交する方向に並設されるように構成してもよい。また、太さが異なるヒートパイプを並設するように構成してもよい。
【００７９】
ヒートパイプの形状として、曲線に沿う形状や、屈曲する部位、例えば、図１０（ｃ）に示す熱交換ユニット８Ｃのように、ヒートパイプ８１Ｃの第１の延出部８１Ｃａや第２の延出部８１Ｃｂに屈曲する部位を設けてもよい。また、図１０（ｄ）に示す熱交換ユニット８Ｄのように、Ｕ字状に形成した２つのヒートパイプ８１Ｄを備え、Ｕ字状の谷部が蒸発部、Ｕ字状の離間する部位が凝縮部となるようにこの２つのヒートパイプ８１Ｄを配置するように構成してもよい。
図１０（ｂ）〜（ｄ）に示す形態は、ヒートシンク８２におけるペルチェ素子５２から飛び出す突出部に、ヒートパイプの延出部を広範囲に沿わせることができるので、ペルチェ素子５２からの熱をより効率良くヒートシンク８２に伝えることが可能となる。
【００８０】
上述した変形例のヒートパイプを組み合わせて構成してもよい。また、熱交換ユニットを構成する部材が積層される方向に、複数のヒートパイプを並設するように構成してもよい。また、上述した変形例は、複数のペルチェ素子５２を備えた熱交換ユニットにも適用できる。
【００８１】
（変形例２）
第１実施形態の熱交換ユニット５は、第１の突出部５３Ｂの長さと、第２の突出部５３Ｃの長さとが略同等となるように構成されているが、第１の突出部５３Ｂの長さと、第２の突出部５３Ｃの長さとが異なるように構成してもよい。
また、冷却空気を送風する冷却ファン４６側に位置する第１の突出部５３Ｂの長さが、第２の突出部５３Ｃの長さより短くなるように熱交換ユニット５を構成してもよい。すなわち、ペルチェ素子５２からの飛び出し量が小さい側（第１の突出部５３Ｂ側）から大きい側（第２の突出部５３Ｃ側）に向けて冷却空気が送風される。これによって、ヒートシンク５３の積層部５３Ａに近い側、すなわちヒートシンク５３における温度が高くなる部位に近い側から冷却空気をヒートシンク５３に送風するので、ヒートシンク５３をより効率良く放熱させることが可能となる。
【００８２】
上述したと同様に、第２実施形態の第１の突出部７１Ｂの長さと、第２の突出部７１Ｃの長さとが異なるように構成してもよい。そして、ペルチェ素子５２からの飛び出し量が小さい側（第１の突出部７１Ｂ側）から大きい側（第２の突出部７１Ｃ側）に向けて冷却空気が送風されるように構成してもよい。
また、熱交換ユニット５，７は、積層部５３Ａ，７１Ａの両側に突出部が設けられているが、積層部５３Ａ，７１Ａの片側に突出部を設けるように構成してもよい。
【００８３】
（変形例３）
第１実施形態の熱交換ユニット５は、ペルチェ素子５２を２つ備えて構成されているが、ペルチェ素子５２を３つ以上備えるように熱交換ユニットを構成してもよい。
【００８４】
（変形例４）
前記実施形態では、液晶パネル３４１を光学素子として構成しているが、液晶パネル３４１以外の光学部品、例えば、入射側偏光板３４２、射出側偏光板３４３、偏光変換素子３２３や、光源３１１を光学素子として構成してもよい。そして、冷却装置４がこれらの光学素子を冷却するように構成してもよい。
また、光学ユニット３が位相差板や、光の位相のずれを補償する補償素子等を備える構成とし、この位相差板や補償素子等を光学素子として構成してもよい。そして、冷却装置４がこれらの光学素子を冷却するように構成してもよい。
【００８５】
前記実施形態のプロジェクター１は、光変調装置として透過型の液晶パネルを用いているが、反射型の液晶パネルを利用したものであってもよい。
また、前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００８６】
（変形例５）
前記実施形態のプロジェクター１は、２つの光源装置３１Ａ，３１Ｂを備えているが、これに限らず、１つあるいは３つ以上の光源装置を備えるように構成してもよい。また、光源装置は、放電型の光源３１１を用いたものに限らず、その他の方式の光源や発光ダイオード、レーザー等の固体光源を用いたものであってもよい。
【符号の説明】
【００８７】
１…プロジェクター、３…光学ユニット、４…冷却装置、５，７，８Ａ，８Ｂ，８Ｃ，８Ｄ…熱交換ユニット、４１，４１Ｂ，４１Ｇ，４１Ｒ…光学素子保持部、４２…液体圧送部、４３…供給タンク、４５…管状部材、４６…冷却ファン、５１…受熱部、５２…ペルチェ素子、５２ａ…吸熱部、５２ｂ…発熱部、５３，７１，８２…ヒートシンク、５３Ａ，７１Ａ…積層部、５３Ｂ，７１Ｂ…第１の突出部、５３Ｃ，７１Ｃ…第２の突出部、５４…熱伝導部材、５５，７２…固定枠、５６…支持部材、５７，７３，８１Ａ，８１Ｂ，８１Ｃ，８１Ｄ…ヒートパイプ、５７Ａ，７３Ａ…内装部、５７Ｂ，７３Ｂ，８１Ｃａ…第１の延出部、５７Ｃ，７３Ｃ，８１Ｃｂ…第２の延出部、３１１…光源、３４１，３４１Ｂ，３４１Ｇ，３４１Ｒ…液晶パネル、５３１，７１１…ベース部、５３２，７１２…フィン。
【図１】
2015108697.tif 000003
【図２】
2015108697.tif 000004
【図３】
2015108697.tif 000005
【図４】
2015108697.tif 000006
【図５】
2015108697.tif 000007
【図６】
2015108697.tif 000008
【図７】
2015108697.tif 000009
【図８】
2015108697.tif 000010
【図９】
2015108697.tif 000011
【図１０】
2015108697.tif 000012